(57)【要約】      （修正有）【課題】圧着プレートの構造が簡単であり、操作も容易であって、他の装置類を必要とせず、しかも広い適用範囲を有し、内側に折り曲げた内フラップと外フラップとを充分に圧着することができる箱封緘装置を提供する。【解決手段】内側に折り曲げた内フラップ３１ａ等とこれに被せるように直交する方向から内側に折り曲げた外フラップ５１ａ，５１ｂ等とを接着剤を介して圧着することにより箱を封緘するようにした箱封緘装置２１において、内側に折り曲げた内フラップと直交する方向から箱を押圧するための第１圧着プレート６１等の押圧面に、内側に折り曲げた内フラップを延長上に臨む位置にて突起部１ａ等を設け、該第１圧着プレート６１等の押圧時に該突起部により箱の内側に突出部１ｃを形成し、該突出部によって内フラップと外フラップとの圧着時に該内フラップが内側へ入り込むのを防止するようにした。【選択図】図３
0003160622.tif 000002
【実用新案登録請求の範囲】
【請求項１】
内側に折り曲げた内フラップとこれに被せるように直交する方向から内側に折り曲げた外フラップとを接着剤を介して圧着することにより箱を封緘するようにした箱封緘装置において、内側に折り曲げた内フラップと直交する方向から箱を押圧するための第１圧着プレートと、該第１圧着プレートの進退手段と、内側に折り曲げた外フラップを側面から押圧するための第２圧着プレートと、該第２圧着プレートの進退手段とを備え、該第１圧着プレートの押圧面に、内側に折り曲げた内フラップを延長上に臨む位置にて突起部を設け、該第１圧着プレートの押圧時に該突起部により箱の内側に突出部を形成し、該突出部によって内フラップと外フラップとの圧着時に該内フラップが内側へ入り込むのを防止するようにして成ることを特徴とする箱封緘装置。
【請求項２】
第１圧着プレートが、箱を上面側から押圧するためのものである請求項１記載の箱封緘装置。
【請求項３】
第１圧着プレートが、箱を正面側及び背面側の両側から押圧するためのものである請求項１記載の箱封緘装置。
【請求項４】
第１圧着プレートの押圧面に、内側に折り曲げた内フラップの先端部を延長上に臨む位置にて突起部を設けた請求項１〜３のいずれか一つの項記載の箱封緘装置。
【請求項５】
第１圧着プレートの押圧面に、内側に折り曲げた内フラップの内側面を延長上に臨む位置にて突起部を設けた請求項１〜４のいずれか一つの項記載の箱封緘装置。
【請求項６】
第１圧着プレートの進退手段及び第２圧着プレートの進退手段がシリンダ駆動によるものである請求項１〜５のいずれか一つの項記載の箱封緘装置。
【考案の詳細な説明】
【技術分野】
【０００１】
本考案は箱封緘装置に関する。例えばダンボール箱を筒状に組立て、一方の開口部を封緘した後、他方の開口部から箱内に複数の容器詰め製品を収納し、最後に他方の開口部を封緘するとき、箱封緘装置を使用する。箱封緘装置を用いて前記のような開口部を封緘するときは一般に、二つの内フラップをほぼ垂直に内側に折り曲げ、折り曲げた内フラップの外側面に接着剤を付けた後、二つの外フラップを内フラップに被せるように直交する方向からほぼ垂直に内側に折り曲げて、双方を圧着する。本考案はかかる箱封緘装置の改良に関する。
【背景技術】
【０００２】
前記のような箱封緘装置では、内側に折り曲げた内フラップと外フラップとを圧着するとき、先ず第１圧着プレートにより、箱を押圧して動かないようにし、次に第２圧着プレートにより、内側に折り曲げた外フラップをそれよりも内側の内フラップの方向へ側面から押圧して双方を圧着するようになっている。ところが、かかる従来の箱封緘装置によると、第２圧着プレートによる圧着時に、ほぼ垂直に内側に折り曲げた内フラップが、かかる内フラップよりも箱の内側に形成されている隙間に入り込んでしまうため、言い替えれば更に内側に折れ曲がってしまうため、外フラップを側面から押圧しても内フラップと外フラップとを充分に圧着することができないという問題がある。双方を充分に圧着することができないと、その保管や運搬時等に、箱の封緘が外れ、箱内に収納した複数の容器詰め製品がばらまかれた状態になってしまう。
【０００３】
前記のような問題を解決するため、外フラップに内フラップを臨む通気孔を設け、双方を圧着プレートで圧着するときに、該通気孔を介して内フラップを外フラップに吸引するようにしたものや（例えば特許文献１参照）、圧着プレートをその中央部を周辺部よりも突出させた形状の山型としたもの（例えば特許文献２参照）等が提案されている。しかし、引用文献１のような従来装置には、外フラップに通気孔を設ける必要があり、また吸着装置も必要であって、しかも圧着プレートの構造が複雑で、操作も厄介になるという問題がある。また引用文献２のような従来装置には、同様に圧着プレートの構造が複雑になり、内側に折り曲げた内フラップの更に内側に相応に大きな空間が残っているような場合には使用し難いという問題がある。
【先行技術文献】
【特許文献】
【０００４】
【特許文献１】特開昭５５−２０１５９号公報
【特許文献２】特開平１０−３２９８１４号公報
【考案の概要】
【考案が解決しようとする課題】
【０００５】
本考案が解決しようとする課題は、圧着プレートの構造が簡単であり、操作も容易であって、他の装置類を必要とせず、しかも広い適用範囲を有し、内側に折り曲げた内フラップと外フラップとを充分に圧着することができる箱封緘装置を提供する処にある。
【課題を解決するための手段】
【０００６】
前記の課題を解決する本考案は、内側に折り曲げた内フラップとこれに被せるように直交する方向から内側に折り曲げた外フラップとを接着剤を介して圧着することにより箱を封緘するようにした箱封緘装置において、内側に折り曲げた内フラップと直交する方向から箱を押圧するための第１圧着プレートと、該第１圧着プレートの進退手段と、内側に折り曲げた外フラップを側面から押圧するための第２圧着プレートと、該第２圧着プレートの進退手段とを備え、該第１圧着プレートの押圧面に、内側に折り曲げた内フラップを延長上に臨む位置にて突起部を設け、該第１圧着プレートの押圧時に該突起部により箱の内側に突出部を形成し、該突出部によって内フラップと外フラップとの圧着時に該内フラップが内側へ入り込むのを防止するようにして成ることを特徴とする箱封緘装置に係る。
【０００７】
本考案に係る箱封緘装置は、例えば筒状に組立てたダンボール箱の一方の開口部を封緘するときや、かかる一方の開口部を封緘した後、他方の開口部から箱内に複数の容器詰めの製品を収納し、最後に他方の開口部を封緘するときに使用するもので、これらの開口部の封緘に際して、二つの内フラップをほぼ垂直に内側に折り曲げ、折り曲げた内フラップの外側面に接着剤を付けた後、二つの外フラップを内フラップに被せるように直交する方向からほぼ垂直に内側に折り曲げて、双方を圧着するものである。
【０００８】
本考案に係る箱封緘装置は、内側に折り曲げた内フラップと直交する方向から箱を押圧するための第１圧着プレートと、該第１圧着プレートの進退手段と、内側に折り曲げた外フラップを側面から押圧するための第２圧着プレートと、該第２圧着プレートの進退手段とを備えている。内フラップが箱の正面側と背面側とに付いており、かかる内フラップをほぼ垂直に内側に折り曲げるときは、内側に折り曲げた内フラップと直交する方向から箱を押圧するための第１圧着プレートは箱を上面側及び底面側から押圧するためのものとなるが、箱の底面は通常は載置台上にあるので、第１圧着プレートは箱を上面から押圧するためのものとなる。また内フラップが箱の上面側と底面側とに付いており、かかる内フラップをほぼ垂直に内側に折り曲げるときは、内側に折り曲げた内フラップと直交する方向から箱を押圧するための第１圧着プレートは箱を正面側及び背面側の両側から押圧するためのものとなる。
【０００９】
第１圧着プレートの押圧面は、後述する突起部を除き、平板状になっており、第２圧着プレートの押圧面は全面で平板状になっている。かかる第１圧着プレートの進退手段や第２圧着プレートの進退手段としては、モータ駆動のものやシリンダ駆動のものが使用できるが、シリンダ駆動のものが好ましく、なかでもエアシリンダ駆動のものがより好ましい。
【００１０】
本発明に係る封緘装置は、第１圧着プレートの押圧面に、内側に折り曲げた内フラップを延長上に臨む位置にて、突起部が設けられている。この突起部は、第１圧着プレートの押圧時に、箱の内側に突出部を形成するためのもので、かかる突出部によって内フラップと外フラップとの圧着時に該内フラップが更に内側へ入り込むのを防止するようになっている。
【００１１】
突起部は、第１圧着プレートに一体成形されたものでもよいし、第１圧着プレートに接着、溶接又はネジ止め等の手段で別に取付けたものでもよい。また突起部の形状は、縦断面で半円形、半楕円形、三角形、四角形等、いずれでもよいが、先端部が丸みを帯びたものが好ましい。更に突起部の数は、一つ又は二つ以上のいずれでもよいが、二つ以上が好ましく、二つ又はその倍数の四つがより好ましい。そして突起部の材質は、金属でもよいし、硬質プラスチック等でもよい。
【００１２】
第１圧着プレートの押圧面における突起部の位置は、該第１圧着プレートの押圧時に該突起部により箱の内側に突出部を形成し、該突出部によって内フラップと外フラップとの圧着時に該内フラップが更に内側へ入り込むのを防止することができる位置であればよく、それ以上の制限はないが、内側に折り曲げた内フラップの基端部や中央部よりも先端部を延長上に臨む位置が好ましく、内側に折り曲げた内フラップの内側面を延長上に臨む位置がより好ましい。
【考案の効果】
【００１３】
本考案に係る箱封緘装置には、圧着プレートの構造が簡単であり、操作も容易であって、他の装置類を必要とせず、しかも広い適用範囲を有し、内側に折り曲げた内フラップと外フラップとを充分に圧着することができるという効果がある。
【図面の簡単な説明】
【００１４】
【図１】本考案に係る箱封緘装置を箱との関係で例示する正面（一部縦断面）図。
【図２】図１と同じ箱封緘装置の第１圧着プレートを示す右側面図。
【図３】図１と同じ箱封緘装置の作用状態を示す正面（一部縦断面）図。
【図４】図１と同じ箱封緘装置の他の作用状態を示す正面（一部縦断面）図。
【図５】本考案に係る他の箱封緘装置の第１圧着プレートを例示する正面図。
【図６】本考案に係る他の箱封緘装置の第１圧着プレートを例示する正面図。
【図７】本考案に係る他の箱封緘装置の第１圧着プレートを例示する右側面図。
【図８】本考案に係る他の箱封緘装置の第１圧着プレートを例示する右側面図。
【図９】本考案に係る他の箱封緘装置の第１圧着プレートの突起部と箱の内フラップとの位置関係を例示する横断面図。
【図１０】本考案に係る他の箱封緘装置を箱との関係で例示する平面（一部横断面）図。
【図１１】図１０と同じ箱封緘装置の作用状態を示す平面（一部横断面）図。
【図１２】図１０と同じ箱封緘装置の他の作用状態を示す平面（一部横断面）図。
【実施例】
【００１５】
以下、本考案に係る箱封緘装置を図面に基づいて説明する。図１において、載置台１１上に未封緘の箱２１が配置されている。箱２１は筒状に組立てた箱の左側面の開口を封緘し、右側面の開口から箱内へ複数の図示しない容器詰め製品を収納した後、右側面の開口を封緘しようとする状態を示しており、具体的には、正面側の内フラップ３１ａ及び背面側の内フラップ３１ｂをほぼ垂直に内側に折り曲げ、折り曲げた内フラップ３１ａ，３１ｂの外側面に接着剤４１ａ，４１ｂ（但し、接着剤４１ｂは図示しない、以下同じ）を付けた後、上面側の外フラップ５１ａ及び底面側の外フラップ５１ｂを内フラップ３１ａ，３１ｂに被せるように直交する方向からほぼ垂直に折り曲げて、双方を圧着しようとする状態を示している。説明を省略するが、箱２１の左側面の開口の封緘も、右側面の開口の封緘と同様に行なっている。
【００１６】
図１に例示した本考案に係る箱封緘装置は、箱２１を上面から押圧するための第１圧着プレート６１と、第１圧着プレート６１の進退手段としてのエアシリンダ７１と、内側に折り曲げた外フラップ５１ａ，５１ｂを右側面から押圧するための第２圧着プレート８１と、第２圧着プレート８１の進退手段としてのエアシリンダ９１とを備えている。第１圧着プレート６１の押圧面は、後述する突起部１ａ，１ｂを除き、平板状になっており、第２圧着プレート８１の押圧面は全面で平板状になっている。第１圧着プレート６１はエアシリンダ７１のシリンダロッド端に取付けられており、第２圧着プレート８１はエアシリンダ９１のシリンダロッド端に取付けられていて、エアシリンダ７１，９１は図示しない機枠に支持されている。
【００１７】
箱２１を上面から押圧して動かないようにするための第１圧着プレート６１の押圧面には、内側に折り曲げた左右の内フラップを延長上（図１では下方）に臨む位置にて、二つの突起部１ａ，１ｂが設けられている。図１及び図２の場合、突起部１ａ，１ｂは断面で半円形を呈する鋼製のもので、鋼製の第１圧着プレート６１に溶接されている。また突起部１ａ，１ｂは、内側に折り曲げた正面側の内フラップ３１ａ及び背面側の内フラップ３１ｂの基端部ではなく先端部を延長上に臨む位置に設けられており、それらの周端部が内側に折り曲げた内フラップ３１ａ，３１ｂの内側面を延長上に臨む位置に設けられている。
【００１８】
図３において、図１及び図２の状態からエアシリンダ７１により第１圧着プレート６１を前進させ、箱２１の上面に当接させて押圧すると、箱２１は載置台１１上に固定された状態となり、箱２１の上面の内側には突起部１ａ，１ｂに相応する突出部１ｃ，１ｄ（但し、突出部１ｄは図示しない、以下同じ）が形成され、これらの突出部１ｃ，１ｄによって、内側に折り曲げた左右の内フラップ３１ａ，３１ｂを内側から支えるような状態になる。
【００１９】
図４において、図３の状態からエアシリンダ９１により第２圧着プレート８１を前進させ、内側に折り曲げた上面側の外フラップ５１ａ及び底面側の外フラップ５１ｂに当接させて押圧すると、内側に折り曲げた内フラップ３１ａ，３１ｂは突出部１ｃ，１ｄによって内側から支えられ、それよりも更に内側へ入り込むことはないので、かかる内フラップ３１ａ，３１ｂと外フラップ５１ａ，５１ｂとを接着剤４１ａ，４１ｂを介して充分に圧着できる。
【００２０】
以下の図５〜図９では図１〜４と異なる点のみを説明するが、図５の場合、第１圧着プレート６２の押圧面に設けられた突起部２ａ，２ｂ（但し、突起部２ｂは図示しない）は縦断面で半楕円形を呈しており、また図６の場合、第１圧着プレート６３の押圧面に設けられた突起部３ａ，３ｂ（但し、突起部３ｂは図示しない）は縦断面で四角形を呈している。更に図７の場合、第１圧着プレート６４の押圧面に設けられた突起部４ａは、内側に折り曲げた正面側の内フラップ３４ａの先端部を延長上（図７では下方）に臨む位置から内側に折り曲げた背面側の内フラップ３４ｂの先端部を延長上（図７では下方）に臨む位置に亘っており、更にまた図８の場合、第１圧着プレート６５の押圧面の突起部５ａ〜５ｄは、内側に折り曲げた内フラップ３５ａ，３５ｂの各基端部と各先端部を延長上（図８では下方）に臨む合計４箇所に設けられている。そして図９の場合、図示しない第１圧着プレートの突起部６ａ，６ｂは、その先端部（下端部）が内側に折り曲げた正面側の内フラップ３６ａ及び背面側の内フラップ３６ｂの内側面を真下に臨む位置に設けられている。図示を省略するが第１圧着プレートの突起部は、その先端（下端部）が内側に折り曲げた正面側の内フラップ及び背面側の内フラップの厚み（肉厚）の中心部を真下に臨む位置に設けることもできる。
【００２１】
図１０において、図示しない載置台上に未封緘の箱２７が配置されている。箱２７は筒状に組立てた箱の左側面の開口を封緘し、右側面の開口から箱内へ複数の図示しない容器詰め製品を収納した後、右側面の開口を封緘しようとする状態を示しており、具体的には、上面側の内フラップ３７ａ及び底面側の内フラップ３７ｂ（但し、内フラップ３７ｂは図示しない、以下同じ）をほぼ垂直に内側に折り曲げ、折り曲げた内フラップ３７ａ，３７ｂの外側面に接着剤４７ａ，４７ｂ（但し、接着剤４７ｂは図示しない、以下同じ）を付けた後、正面側の外フラップ５７ａ及び背面側の外フラップ５７ｂを内フラップ３７ａ，３７ｂに被せるように直交する方向からほぼ垂直に折り曲げて、双方を圧着しようとする状態を示している。説明を省略するが、箱２７の左側面の開口の封緘も、右側面の開口の封緘と同様に行なっている。
【００２２】
図１０に例示した本考案に係る箱封緘装置は、箱２７を正面側及び背面側の両側から押圧するための第１圧着プレート６６，６７と、第１圧着プレート６６，６７の進退手段としてのエアシリンダ７２，７３と、内側に折り曲げた外フラップ５７ａ，５７ｂを右側面から押圧するための第２圧着プレート８２と、第２圧着プレート８２の進退手段としてのエアシリンダ９２とを備えている。第１圧着プレート６６，６７の押圧面は、後述する突起部７ａ〜７ｄ（但し、突起部７ｂ，７ｄは図示しない、以下同じ）を除き、平板状になっており、第２圧着プレート８２の押圧面は全面で平板状になっている。第１圧着プレート６６，６７はエアシリンダ７２，７３のシリンダロッド端に取付けられており、第２圧着プレート８２はエアシリンダ９２のシリンダロッド端に取付けられていて、エアシリンダ７２，７３，９２は図示しない機枠に支持されている。
【００２３】
箱２７を正面側及び背面側の両側から押圧して動かないようにするための第１圧着プレート６６，６７の押圧面には、内側に折り曲げた内フラップ３７ａ，３７ｂを延長上に臨む位置にて、それぞれ二つの突起部７ａ〜７ｄが設けられている。図１０の場合、突起部７ａ〜７ｄは断面で半円形を呈する鋼製のもので、鋼製の第１圧着プレート６６，６７に溶接されている。また突起部７ａ〜７ｄは、内側に折り曲げた上面側の内フラップ３７ａ及び底面側の内フラップ３７ｂの基端部ではなく先端部を延長上に臨む位置に設けられており、それらの周端部が内側に折り曲げた内フラップ３７ａ，３７ｂの内側面を延長上に臨む位置に設けられている。かかる突起部７ａ〜７ｄの位置関係は図１の場合と同様になっている。
【００２４】
図１１において、図１０の状態からエアシリンダ７２，７３により第１圧着プレート６６，６７を前進させ、箱２７の正面及び背面に当接させて箱２７を挟持するように押圧すると、箱２７は図示しない載置台上に固定された状態となり、箱２７の正面及び背面の内側には突起部７ａ〜７ｄに相応する突出部７ｅ〜７ｈ（但し、突出部７ｆ，７ｈは図示しない、以下同じ）が形成され、これらの突出部７ｅ〜７ｈによって、内側に折り曲げた内フラップ３７ａ，３７ｂを内側から支えるような状態になる。
【００２５】
図１２において、図１１の状態からエアシリンダ９２により第２圧着プレート８２を前進させ、内側に折り曲げた正面側及び背面側の外フラップ５７ａ，５７ｂに当接させて押圧すると、内側に折り曲げた上面側及び底面側の内フラップ３７ａ，３７ｂは突出部７ｅ〜７ｈによって内側から支えられ、それよりも更に内側へ入り込むことはないので、かかる内フラップ３７ａ，３７ｂと外フラップ５７ａ，５７ｂとを接着剤４７ａ，４７ｂを介して充分に圧着できる。
【符号の説明】
【００２６】
２１，２６，２７                          箱
３１ａ，３１ｂ，３４ａ，３４ｂ，３５ａ，３５ｂ，３６ａ，３６ｂ，３７ａ  内フラップ
４１ａ，４６ａ，４６ｂ，４７ａ            接着剤
５１ａ，５１ｂ，５４ａ，５５ａ，５６ａ，５７ａ，５７ｂ  外フラップ
６１，６２，６３，６４，６５，６６，６７  第１圧着プレート
７１，７２，７３，９１，９２              エアシリンダ
８１，８２                                第２圧着プレート
１ａ，１ｂ，２ａ，３ａ，４ａ，５ａ，５ｂ，５ｃ，５ｄ，６ａ，６ｂ，７ａ，７ｃ  突起部
１ｃ，７ｅ，７ｇ                          突出部
【図１】
0003160622.tif 000003
【図２】
0003160622.tif 000004
【図３】
0003160622.tif 000005
【図４】
0003160622.tif 000006
【図５】
0003160622.tif 000007
【図６】
0003160622.tif 000008
【図７】
0003160622.tif 000009
【図８】
0003160622.tif 000010
【図９】
0003160622.tif 000011
【図１０】
0003160622.tif 000012
【図１１】
0003160622.tif 000013
【図１２】
0003160622.tif 000014